(57)【要約】【課題】メンテナンスを容易に行うことができる蛍光灯照明看板装置を提供する。また看板装置を軽量化し、さらに消費電力を少なくして、環境に貢献する蛍光灯照明看板装置を提供する。【解決手段】透光性のディスプレイ板と、前記ディスプレイ板の背面に配置した複数の蛍光灯と、前記蛍光灯の点灯を制御するインバータ回路部と、前記回路部を収納する収納部を備える。【選択図】図１
2007011044.tif 000002
【特許請求の範囲】
【請求項１】
透光性のディスプレイ板と、
前記ディスプレイ板の背面に配置した複数の蛍光灯と、
前記蛍光灯の点灯を制御するインバータ回路部と、
前記インバータ回路部を収納する収納部と
を備えたことを特徴とする蛍光灯照明看板装置。
【請求項２】
透光性のディスプレイ板と、
前記ディスプレイ板の背面に配置した複数組の蛍光灯と、
前記各組の蛍光灯の点灯を制御するインバータ回路部と、
前記インバータ回路部を集約的に収納する収納部と
を備えたことを特徴とする蛍光灯照明看板装置。
【請求項３】
前記ディスプレイ板は、広告塔、ビルの壁面またはビルの屋上に取り付けられることを特徴とする請求項１または２に記載の蛍光灯照明看板装置。
【請求項４】
前記ディスプレイ板の周囲に設置されたフレームを更に備え、前記フレームの一部が取り外しまたは開閉可能であることを特徴とする請求項１乃至３のいずれか１項に記載の蛍光灯照明看板装置。
【請求項５】
前記収納部は防水構造を備え、インバータ回路部を防水するように収納することを特徴とする請求項１または２に記載の蛍光灯照明看板装置。
【請求項６】
前記インバータ回路部はインバータ回路を搭載する回路基板を備え、前記収納部は、前記インバータ回路基板を挿入・取出し可能なソケットを内蔵することを特徴とする請求項１または２に記載の蛍光灯照明看板装置。
【請求項７】
前記複数の蛍光灯は消費電力が異なる蛍光灯を含み、前記インバータ回路部は消費電力が異なる蛍光灯に対応して複数のインバータ回路部を含むことを特徴とする請求項１または２に記載の蛍光灯照明看板装置。
【請求項８】
前記蛍光灯を支持する支持部材を更に備え、その支持部材が蛍光灯の一方の端子に接続される第１のソケットを取り付ける第１の支持金具と、蛍光灯の他方の端子に接続される第２のソケットを取り付ける第２の支持金具と、前記第１の支持金具と第２の支持金具を消費電力が異なる蛍光灯の長さに対応するように伸縮可能に固定する固定部とを備えることを特徴とする請求項１または２に記載の蛍光灯照明看板装置。
【発明の詳細な説明】
【技術分野】
【０００１】
本発明はインバータ回路によって制御される蛍光灯によりディスプレイ板を照明する蛍光灯照明看板装置に関する。
【背景技術】
【０００２】
従来、建物の壁面や屋上または広告塔に取り付けられる大型の照明看板は、図８に示すように、金属製の枠組３１に、広告や宣伝、案内が表示された透光性のディスプレイ板を取り付け、内部に熱陰極蛍光管(以下、蛍光灯)３２を複数本配置し、ディスプレイ板を照明する構造である。この従来の看板装置では１本の蛍光灯ごとにそれぞれ安定器３３が備えられ、蛍光灯３２と安定器３３が一対となって枠組３１に取り付けられている。
一方、最近の蛍光灯は、安定器を使用せずにインバータ回路を用いて点灯制御するものがある。インバータ式照明装置には、１本の蛍光灯を１つのインバータ回路で制御するものの外、図９のように２本の蛍光灯３２を並列接続して１つのインバータ回路で制御するものがある。また図１０のように直列接続するものもある。
【０００３】
特許文献１は、照明看板において、１対の合成樹脂製の箱型フレームを重合固定して中間壁を形成し、この中間壁にランプ空間を設けて蛍光灯ランプを挿入固定し、また中間壁に蛍光灯それぞれに対して安定器を配設する構造を開示している。
また蛍光灯の長さは、蛍光灯の消費電力の大きさにより規格化されており、異なる消費電力の蛍光灯を使用する場合は、蛍光灯の長さに対応してそれぞれ蛍光灯金具を用意しなければならない。特許文献２は、主照明と副照明を備える照明装置であって、副照明を伸縮自在の金具に取り付ける構造を示している。
【特許文献１】実開昭６１−１２１４８６号公報
【特許文献２】特開２０００−１１７０７号公報
【発明の開示】
【発明が解決しようとする課題】
【０００４】
特許文献１は、蛍光灯と安定器を配置した構造で、１本の蛍光灯に対し１つの安定器が使用されている。この構造の照明看板は、ディスプレイ板が大型になると蛍光灯の本数は多くなり、安定器の数も多くなる。大型の看板装置では一辺が１０ｍを越え、蛍光灯が１００本以上内蔵するものがあり、安定器も同数必要になる。安定器は銅線や鉄芯のように比較的重量の大きい材質からなるので、安定器を支持する枠組は頑丈なものにしなければならない。また安定器を使用するためその消費電力は大きくなる。更に安定器はメンテナンスの必要があるが、蛍光灯数が増えれば、安定器の数も増え、メンテナンスの機会は増加する。しかしながら広告塔、ビルの屋上、ビルの壁面に取り付けられるような比較的大型の看板装置は高所にある場合が多く、またディスプレイ板が大型であるためメンテナンス作業は危険、かつ困難である。
また看板装置は、広告塔、ビルの屋上、ビルの壁面の大きさに従って大きさが決められ、その大きさが蛍光灯の長さの整数倍でない場合は、ディスプレイ板の照度をほぼ均一することができないので、消費電力の異なる蛍光灯を組み合わせて、照度がほぼ均一になるよう配置する必要がある。
【０００５】
本発明は以上のような点に鑑みて、メンテナンスを容易に行うことができる蛍光灯照明看板装置を提供するものである。また看板装置を軽量化し、さらに消費電力を少なくして、省エネルギーに貢献する蛍光灯照明看板装置を提供するものである。また消費電力の異なる蛍光灯も使用することができる蛍光灯照明看板装置を提供するものである。
【課題を解決するための手段】
【０００６】
本発明の蛍光灯照明看板装置は、透光性のディスプレイ板と、前記ディスプレイ板の背面に配置した複数の蛍光灯と、前記蛍光灯の点灯を制御するインバータ回路部と、前記回路部を収納する収納部を備え、この構成により、前記課題を解決する。
【０００７】
また本発明の蛍光灯照明看板装置は、透光性のディスプレイ板と、前記ディスプレイ板の背面に配置した複数組の蛍光灯と、前記各組の蛍光灯の点灯を制御するインバータ回路部と、前記回路部を集約的に収納する収納部を備える。
また本発明の蛍光灯照明看板装置は、前記ディスプレイ板が広告塔、ビルの壁面またはビルの屋上に取り付けることが好ましい。
また本発明の蛍光灯照明看板装置は、前記ディスプレイ板の周囲に設置されたフレームを更に備え、前記フレームの一部が取り外しまたは開閉可能であってもよい。
【０００８】
また本発明の蛍光灯照明看板装置は、前記収納部が防水構造を備え、インバータ回路部を防水するように収納するようにしてもよい。
また前記インバータ回路部はインバータ回路を搭載する回路基板を備え、前記収納部が前記インバータ回路基板を挿入・取出し可能なソケットを内蔵することもできる。
また本発明の蛍光灯照明看板装置は、別の観点から、前記複数の蛍光灯は消費電力が異なる蛍光灯を含み、前記インバータ回路部は消費電力が異なる蛍光灯に対応して複数のインバータ回路部を含むことを特徴とする。
【０００９】
また本発明の蛍光灯照明看板装置は、前記蛍光灯を支持する支持部材を更に備え、その支持部材が蛍光灯の一方の端子に接続される第１のソケットを取り付ける第１の支持金具と、蛍光灯の他方の端子に接続される第２のソケットを取り付ける第２の支持金具と、前記第１の支持金具と第２の支持金具を消費電力が異なる蛍光灯の長さに対応するように伸縮可能に固定する固定部とを備えるものである。
【発明の効果】
【００１０】
本発明の蛍光灯照明看板装置は、透光性のディスプレイ板の背面に配置した複数の蛍光灯の点灯を制御するインバータ回路部を収納部に収納するので、インバータ回路部のメンテナンスが容易である。またインバータ回路部により蛍光灯を制御するので安定器が不要になり、看板装置の支持構造体を軽量化することができる。またインバータ回路部により蛍光灯を制御するので蛍光灯の消費電力を少なくし、環境に貢献することができる。
【００１１】
また本発明の蛍光灯照明看板装置は、透光性のディスプレイ板の背面に配置した複数組の蛍光灯の点灯を制御するインバータ回路部を収納部に集約的に収納するので、組単位にインバータ回路部のメンテナンスを行うことができる。またインバータ回路部を集約的に収納するので、看板装置の支持構造体を軽量化することができる。またインバータ回路部により蛍光灯を制御するので蛍光灯の消費電力を少なくし、環境に貢献することができる。
【００１２】
また本発明の蛍光灯照明看板装置は、ディスプレイ板が広告塔、ビルの壁面またはビルの屋上に取り付けられるので、多数の蛍光灯を使用する大型の蛍光灯照明看板装置に適している。
また本発明の蛍光灯照明看板装置は、前記ディスプレイ板の周囲に設置されたフレームの一部を取り外しまたは開閉可能とすれば、メンテナンスの際はこの一部を取り外しまたは開閉して、メンテナンス作業を楽に行うことができる。
また本発明の蛍光灯照明看板装置は、収納部の防水構造によりインバータ回路部を防水するようにすれば、看板装置内の湿気、水分からインバータ回路部を保護することができる。
【００１３】
また本発明の蛍光灯照明看板装置は、前記インバータ回路部が回路基板に搭載され、収納部にインバータ回路基板を挿入・取出しするソケットを内蔵すれば、インバータ回路基板を挿入・取出して、点検、修理、交換が可能である。
また本発明の蛍光灯照明看板装置は、消費電力の異なる蛍光灯に対応して複数のインバータ回路部を備えれば、看板装置の大きさに合わせて、消費電力の異なる蛍光灯を組み合わせ使用することができる。
【００１４】
更に本発明の蛍光灯装置は、蛍光灯を支持する支持部材が蛍光灯の一方の端子に接続される第１のソケットを有する第１の支持金具と、蛍光灯の他方の端子に接続される第２のソケットを有する第２の支持金具を備え、第１の支持金具と第２の支持金具を蛍光灯の長さに対応するように伸縮可能して固定するので、蛍光灯金具の品種を少なくして、多種類の蛍光灯の使用を可能にする。
【発明を実施するための最良の形態】
【００１５】
（実施形態１）
本発明の実施形態１の看板装置は、図１に斜視図を示し、図２に断面図を示すように、ビルの壁面から突き出すように取り付けられた大型の蛍光灯照明看板装置である。ビルの壁面２に支柱８が３本突き出すように取り付けられ、この３本の支柱８に看板装置が取り付けられる。看板装置は中央部に取付台６を有し、この取付台６に上側取付枠４ａと、下側取付枠４ｂが取り付けられ、更に上側取付枠４ａと下側取付枠４ｂに、前側取付枠４ｃと後側取付枠４ｄが取り付けられる。これら上側取付枠４ａ、下側取付枠４ｂ、前側取付枠４ｃ、後側取付枠４ｄによって、四角形の看板装置が形成される。
【００１６】
このようにして形成された取付枠の一方の面側と、他方の面側にそれぞれ透光性ディスプレイ板１ａ、１ｂを取り付ける。透光性ディスプレイ板１ａ、１ｂは、その大きさに応じて、あるいはディスプレイの単位（例えば、会社ごと、店ごと、表示内容ごと）に分割される。図１ではディスプレイ板１ａは４分割されている。図１、図２は壁面から突き出すように看板装置を取り付ける構造を示したが、天井から吊下げる構造であってもよい。
【００１７】
ディスプレイ板は例えばアクリル樹脂よりなり、その上に着色した面板シートを貼り付けてディスプレイが施される。ディスプレイする内容は、商品の写真、デザイン、商品名、会社名のように広告内容、宣伝内容を含む広告事項、あるいは案内標識のような案内事項、注意事項などである。ディスプレイ板１に施されるディスプレイの詳細は図１および図２では省略している。
【００１８】
取付枠４とディスプレイ板１に囲まれた看板装置の内側では、取付台６に蛍光灯ソケット支持金具９を８個取り付け、この蛍光灯ソケット支持金具９にそれぞれ蛍光灯５をはめ込む。
【００１９】
この実施形態１は、複数の蛍光灯の点灯を制御するインバータ回路部を収納部に収納する構造である。従って、８本の蛍光灯を制御するインバータ回路部を１組備え、このインバータ回路部を１つの収納ボックス７に収納し、これを下側取付枠４ｂに固定する。または取付台６に固定する。インバータ回路部は、図６で後述するようにインバータ回路を構成する部品を回路基板に搭載し、プリント配線により各部品間を接続して構成される。このように回路基板を使用する以外に、インバータ回路を構成する部品と配線を樹脂モールドして一体化することにより、インバータ回路ブロックを形成するようにしてもよい。
収納ボックス７を設置する箇所は、ディスプレイ板１の上方、右側、左側、あるいは中央部分に対応する個所のように任意であるが、なるべく取り付けが容易で、メンテナンスが容易になる箇所で、蛍光灯５と重ならない個所がよい。インバータ回路部は安定器のような重量物を含まないので、下側取付枠４ｂは頑丈にする必要がない。ここでは８本の蛍光灯を１つのインバータ回路部で制御する構成を示したが、４本の蛍光灯を１つのインバータ回路部によって制御するように構成し、２つのインバータ回路部を１つの収納部に収納する構成でもよい。
【００２０】
この実施形態１の場合、ディスプレイ板１ａは図１に示すように４分割され、収納ボックス７と対向する部分のディスプレイ板１ａ4が一部取り外し、または開閉可能の構造になっている。インバータ回路部を点検、修理、交換などメンテナンスする場合は、ディスプレイ板１ａ4のみを取り外し、または開閉して実施する。従来は蛍光灯と安定器とが一対に蛍光灯金具に取り付けられているため、安定器をメンテナンスする場合は、蛍光灯、安定器および蛍光灯金具を含め全てを交換しなければならなかったが、本発明では収納ボックスに収納されたインバータ回路基板のみを交換するだけでよく、作業が簡単になり、また蛍光灯金具は交換する必要がないので、コスト削減ができる。
【００２１】
（実施形態２）
実施形態２の蛍光灯照明看板装置は、広告塔、ビルの屋上、ビルの壁面に取り付けられるような比較的大型の看板装置である。図３に正面図、図４に断面図を示すように、実施形態２の蛍光灯照明看板装置は、ビルの壁面２に取付枠４を固定し、この取付枠４の表面側に透光性ディスプレイ板１を取り付けて構成する。ディスプレイ板１の背面には、縦方向および横方向に蛍光灯５をほぼ均等間隔に配置し、各蛍光灯を取付台６に固定する。実施形態２では取付台６は、蛍光灯を取り付けるだけであるから、安定器のような重量物を支持する程度に頑丈にする必要はない。蛍光灯は縦方向および横方向に配置され、その数はディスプレイ板１の大きさおよびディスプレイ板を照明する照度により決められ、ディスプレイ板１の照度がほぼ均一になるよう蛍光灯５をほぼ均等間隔に配置する。
【００２２】
ディスプレイ板１を照明する蛍光灯５は全部同じ消費電力の蛍光灯が好ましいが、ディスプレイ板１の大きさが蛍光灯５の整数倍でない場合は、ディスプレイ板１の照度をほぼ均一にするために、消費電力が異なる蛍光灯を使用せざるを得ない。また蛍光灯は消費電力の大きいものを使用するほうが、効率がよく、なるべく消費電力の大きい蛍光灯を多く使用し、消費電力の小さい蛍光灯を少なくするほうが望ましい。図３のディスプレイ板１は、縦方向に上部に消費電力の大きい蛍光灯５ａを２本配置し、下部に消費電力の小さい蛍光灯５ｂを１本配置している。このように縦方向に配置した３本の蛍光灯群を、横方向に多数列配置している。消費電力の大きい蛍光灯５ａは、例えば４０Ｗである。消費電力の小さい蛍光灯５ｂは３０Ｗである。このほか種々の組み合わせが考えられる。
【００２３】
実施形態２の蛍光灯照明看板装置は、透光性のディスプレイ板の背面に配置した複数組の蛍光灯の点灯を制御するインバータ回路部を収納部に集約的に収納する構造である。
蛍光灯５を制御するインバータ回路部は、収納ボックス７に収納される。インバータ回路部は、図６で後述するようにインバータ回路を構成する部品を回路基板に搭載し、プリント配線により各部品間を接続して構成される。このように回路基板を使用する以外に、インバータ回路を構成する部品と配線を樹脂モールドして一体化することにより、インバータ回路ブロックを形成するようにしてもよい。
【００２４】
実施形態２では、図３、図４に示すように収納ボックス７は、ディスプレイ板１の背面の下方部に設置し、固定する。収納ボックス７を設置する箇所は、ディスプレイ板１の上方、右側、左側あるいは中央部分のように任意であるが、なるべく取り付けが容易で、メンテナンスが容易になる箇所で、蛍光灯５と重ならない個所がよい。図３、図４では収納ボックス７はディスプレイ板１の背面右側下方部に一つ配置しているが、さらに左側下方部にもう一つ配置し、収納ボックスを２個備える構成としてもよい。
収納ボックス７はすべてのインバータ回路を集約的に収納するのが望ましいが、必ずしも１つに集約する必要はなく、収納ボックス７の設置場所の大きさ、取り付けやメンテナンスの観点から、または看板装置の大きさによっては複数に分割してもよい。更に収納ボックスはディスプレイ板の後方だけでなく、看板装置の外側あるいは看板装置から離れた箇所に設置してもよい。
【００２５】
実施形態２では、ディスプレイ板１が収納ボックス７と対向する部分１Ａが、一部取り外しまたは開閉可能の構造になっている。ディスプレイ板１の一部を取り外す構造は任意であり、ここでは説明を省略する。取り外しまたは開閉部分１Ａは収納ボックス７より大きいほうがメンテナンスをやりやすいが、ディスプレイ板１のデザインや構造的な理由により、やむを得ず小さい場合もある。しかし回路基板よりは大きくする必要がある。
ディスプレイ板１の一部を取り外す構造、開閉する構造に変えて、側面の取付枠４に一部取外し部、開閉部を形成してもよい。
更に大型の看板装置では、図５に示すように看板装置の取付枠４の幅が１〜２ｍ程度の大きさのものがあり、このように大型の看板装置では、取付枠４に開閉扉１０を形成して、この開閉扉１０から作業者が出入りすることによりメンテナンスすることもできる。
【００２６】
（収納ボックス）
実施形態１および実施形態２に使用される収納ボックス７は、防水構造に構成する。防水の程度は、ディスプレイ板１と壁面２との間隔の大きさ、ディスプレイ板１と壁面２との間の空気の流通性、蛍光灯の発熱量、蛍光灯を点灯しているときと消灯しているときの温度変化、看板が設置される場所の夜間から朝の気温変化、その他条件により、ディスプレイ板１の背後の湿気、水分量が異なるので、その湿気、水分量に応じて防水構造にするとよい。例えばＪＩＳ保護等級３、またＪＩＳ規格で防雨形として定義されているように、鉛直方向から両側６０度の範囲に噴霧した水によって有害な影響がない程度であればよい。しかしインバータ回路基板が発熱するので、放熱が十分であるようにすることも必要である。
このように収納ボックス７の防水構造に対応して、インバータ回路基板の信頼性も高くするのが望ましい。
【００２７】
収納ボックス７は、インバータ回路を組み立てたインバータ回路基板１５ａ、１５ｂ、１５ｃ・・・を、図６に示すように集約的に収納する。インバータ回路基板には１つのインバータ回路、または２以上のインバータ回路を搭載して高密度に収納する構造としてもよい。
収納ボックス７は下部に基板ソケット１６ａ、１６ｂ、１６ｃ・・・・を並行配置しており、インバータ回路基板１５ａ、１５ｂ、１５ｃ・・・はこの基板ソケット１６ａ、１６ｂ、１６ｃ・・・・にそれぞれ挿入して固定する。したがって、図示しないが、ディスプレイ板１の背面に配置された各蛍光灯５から基板ソケット１６まで接続線を配線する。基板ソケット１６ａ、１６ｂ、１６ｃ・・・・はインバータ回路基板１５ａ、１５ｂ、１５ｃ・・・を抜くことができ、メンテナンスの場合に点検、修理、交換が可能である。勿論、基板ソケット１６ａ、１６ｂ、１６ｃ・・・・は収納ボックス７の上部、側部に取り付けてもよい。
【００２８】
（蛍光灯の接続回路）
ディスプレイ板１の背面に縦および横方向に配置された複数の蛍光灯は、縦方向に配置された２本の蛍光灯５を１つのインバータ回路に接続する。ここでは図３の蛍光灯５ａ１１と、５ａ１２で示した縦方向に並んでいる２本の蛍光灯を第１のインバータ回路に接続する。２本の蛍光灯は図９に示すように並列にインバータ回路に接続してもよいし、図１０のように直列にインバータ回路に接続してもよい。
または、横方向に配置された４本の蛍光灯ごとに１つのインバータ回路に接続してもよい。４本の蛍光灯は図９に示すように並列接続してもよいし、図１０に示すように直列接続してもよい。この場合、上２行は４０Ｗ蛍光灯を４本駆動するインバータ回路であり、下１行は３０Ｗ蛍光灯を４本駆動するインバータ回路である。
【００２９】
本発明の蛍光灯照明看板装置は、消費電力の異なる蛍光灯を使用するが、その蛍光灯の端子に接続されるソケットを取り付ける支持金具９は、図７に示すような構成である。
本発明の蛍光灯装置は、蛍光灯の一方の端子に接続される第１のソケット２１を取り付ける第１の支持金具２２と、蛍光灯の他方の端子に接続される第２のソケット２３を取り付ける第２の支持金具２４からなり、この第１の支持金具２２と第２の支持金具２４を消費電力が異なる蛍光灯の長さに合わせて伸縮可能に固定する固定部２５を備える。
【００３０】
即ち、固定部２５は、第１の支持金具２２の第１のソケット２１と第２のソケット２３の間隔を、４０Ｗ用蛍光灯の長さに対応して１１９８ｍｍの位置で固定する４０Ｗ用ネジ穴２５ａ、また３２Ｗ用蛍光灯の長さに対応して８９０ｍｍの位置で固定する３２Ｗ用ネジ穴２５ｂ、３０Ｗ用蛍光灯の長さに対応して６３０ｍｍの位置で固定する３０Ｗ用ネジ穴２５ｃ、２０Ｗ用蛍光灯の長さに対応して５８０ｍｍの位置で固定する２０Ｗ用ネジ穴２５ｄと、このネジ穴を通して第１の支持金具２２に締め付けるネジ２６とで構成される。
第１の支持金具２２と第１の支持金具２２の連結を強固にするため、ネジ２６ともう１つのネジ２７により締め付けるのが望ましい。
上記支持金具、固定部の形状、構造は一例であって、どのような形状、構造であってもかまわない。
【図面の簡単な説明】
【００３１】
【図１】実施形態１の蛍光灯照明看板装置の斜視図を示す。
【図２】図１の断面図を示す。
【図３】実施形態２の蛍光灯照明看板装置の正面図を示す。
【図４】図３の断面図を示す。
【図５】大型看板装置の斜視図を示す。
【図６】収納ボックスの斜視図を示す。
【図７】蛍光灯装置の斜視図を示す。
【図８】従来の蛍光灯照明看板装置の正面図を示す。
【図９】蛍光灯の第１の接続回路図を示す。
【図１０】蛍光灯の第２の接続回路図を示す。
【符号の説明】
【００３２】
１    ディスプレイ板
２    壁面
３    凹部
４    取付枠
５    蛍光灯
６    取付台
７    収納ボックス
１０  インバータ回路
１５  インバータ回路基板
１６  基板ソケット
２１  第１のソケット
２２  第１の支持金具
２３  第２のソケット
２４  第２の支持金具
【図２】
2007011044.tif 000003
【図３】
2007011044.tif 000004
【図４】
2007011044.tif 000005
【図６】
2007011044.tif 000006
【図７】
2007011044.tif 000007
【図８】
2007011044.tif 000008
【図９】
2007011044.tif 000009
【図１０】
2007011044.tif 000010
【図１】
2007011044.tif 000011
【図５】
2007011044.tif 000012